(57)【要約】【課題】ネットワークを用いた店舗において電子書籍等の商品を販売する際における販売機会の逸失を防ぐとともに、有効に商品の販売を促進することが可能な情報提供装置等を提供すること。【解決手段】電子書籍販売システム１は、ユーザがネットワーク上に公開されたブログサイトで利用するための各種の商品に関する広告情報を作成する広告作成処理を実行し、当該生成した広告情報をブログサイトに提供することができるとともに、当該ブログサイトに提供した広告情報に基づいて、提供した成功報酬型広告（アフィリエイト）を実現することが可能な構成を有している。【選択図】図１
2015197770.tif 000002
【特許請求の範囲】
【請求項１】
ユーザがネットワーク上に公開されたユーザコンテンツで利用するための各種の商品に関する広告情報を当該ユーザの通信端末装置に提供する情報提供装置であって、
前記通信端末装置を介してユーザの特定の商品に関する広告情報を作成するための要求を広告作成要求として受け付ける受付手段と、
前記受け付けた広告作成要求に基づいて、前記広告作成要求をしたユーザによって購入された購入済みの商品であって文章、画像及び音声の少なくとも何れか一つを含む商品を特定する特定手段と、
前記ネットワークを介して前記特定された商品を購入するためのページデータを閲覧する際に用いる前記ネットワーク上のアドレスを含み、前記商品に含まれる一部の文章、画像又は音声を前記広告情報として前記ネットワーク上で公開するための公開情報を生成する生成手段と、
前記生成された公開情報を前記ユーザコンテンツに登録するために該当する通信端末装置に提供する提供手段と、
を備えることを特徴とする情報提供装置。
【請求項２】
請求項１に記載の情報提供装置において、
前記商品が、複数のページによって構成されており、
前記生成手段が、前記ユーザにより指定された商品内の一部のページ又は一部の文字列を含む前記公開情報を生成する、情報提供装置。
【請求項３】
請求項１又は２に記載の情報提供装置であって、
公開が禁止された前記商品の一部を示す公開禁止部位情報を取得する公開禁止部位情報取得手段を更に備え、
前記生成手段が、前記公開禁止部位に該当する商品の部位を用いた公開情報の作成を禁止する、情報提供装置。
【請求項４】
請求項１〜３のいずれか１項に記載の情報提供装置であって、
前記公開情報を利用して作成された広告の利用状況に関する利用状況情報を取得する利用状況情報取得手段を更に備える情報提供装置。
【請求項５】
請求項４に記載の情報提供装置であって、
前記利用状況情報取得手段が、前記広告情報に含まれるアドレスに基づいて前記利用状況情報を取得する、情報提供装置。
【請求項６】
ネットワークを介して接続された通信端末装置に対して、各種の商品に関する広告を作成するための情報を提供する情報提供装置を、
前記通信端末装置を介してユーザの特定の商品に関する前記広告を作成するための要求を広告作成要求として受け付ける受付手段、
前記受け付けた広告作成要求に基づいて、前記広告作成要求をしたユーザによって購入された購入済みの商品であって文章、画像及び音声の少なくとも何れか一つを含む商品を特定する特定手段、
前記ネットワークを介して前記特定された商品を購入するためのページデータを閲覧する際に用いる前記ネットワーク上のアドレスを含み、前記商品に含まれる一部の文章、画像又は音声を前記広告として前記ネットワーク上で公開するための公開情報を生成する生成手段、
前記生成された公開情報を該当するユーザがネットワーク上に公開されたユーザコンテンツに登録するために該当する通信端末装置に提供する提供手段、
として機能させることを特徴とするプログラム。
【請求項７】
ネットワークを介して接続された通信端末装置に対して、各種の商品に関する情報を提供する情報提供装置であって、
前記ネットワーク上に公開され、予め登録された前記商品に関する特定のユーザによってユーザコンテンツ上に提供された広告情報が閲覧又は利用される毎に、当該広告情報の利用回数及び利用種別の少なくともいずれか一方の情報を取得する取得手段と、
前記取得された各広告情報の利用回数及び利用種別の少なくともいずれか一方に基づいて、当該各広告情報の有用性を数値化する数値化手段と、
前記ネットワーク上に公開された前記商品に関する商品であって、複数の異なるユーザが提供している前記広告情報を含む商品コンテンツを、閲覧者の要求に応じて該当する通信端末装置に当該閲覧者に閲覧可能に提供する提供手段と、
前記各広告情報の数値化された有用性を用いて、当該各広告情報の商品コンテンツ内の配置を変更する変更手段と、
を備えることを特徴とする情報提供装置。
【請求項８】
請求項７に記載の情報提供装置であって、
前記数値化手段が、前記広告情報の利用種別に応じて異なる重み付けを用いて各広告情報の有用性を数値化する、情報提供装置。
【請求項９】
請求項７又は８に記載の情報提供装置であって、
前記変更手段が、前記数値化された前記有用性が高いと判断される数値を有する広告情報の前記商品コンテンツ内の位置を、他の広告情報より先に閲覧される位置に変更する、情報提供装置。  前記変更手段が、前記数値化された前記有用性が高いと判断される数値を有する広告情報とともに前記ユーザコンテンツに含まれる評価情報の前記商品コンテンツ内における位置を、他の評価情報より先に閲覧される位置に変更する、情報提供装置。
【請求項１０】
請求項７〜９のいずれか１項に記載の情報提供装置であって、
前記広告情報には、前記商品の評価に関する情報が含まれる、情報提供装置。
【請求項１１】
ネットワークを介して接続された通信端末装置に対して、各種の商品に関する情報を提供する情報提供装置を、
前記ネットワーク上に公開され、予め登録された前記商品に関する特定のユーザによってユーザコンテンツ上に提供された広告情報が閲覧又は利用される毎に、当該広告情報の利用回数及び利用種別の少なくともいずれか一方の情報を取得する取得手段、
前記取得された各広告情報の利用回数及び利用種別の少なくともいずれか一方に基づいて、当該各広告情報の有用性を数値化する数値化手段、
前記ネットワーク上に公開された前記商品に関する商品コンテンツであって、複数の異なるユーザが提供している前記広告情報を含む商品コンテンツを、閲覧者の要求に応じて該当する通信端末装置に当該閲覧者に閲覧可能に提供する提供手段、
前記各広告情報の数値化された有用性を用いて、当該各広告情報の商品コンテンツ内の配置を変更する変更手段、
として機能させることを特徴とするプログラム。
【請求項１２】
ネットワークを介して接続された通信端末装置に対して、各種の商品に関する広告情報を提供する広告提供方法であって、
前記通信端末装置を介してユーザの特定の商品に関する前記広告を作成するための要求を広告作成要求として受け付ける受付ステップと、
前記受け付けた広告作成要求に基づいて、前記広告作成要求をしたユーザによって購入された購入済みの商品であって文章、画像及び音声の少なくとも何れか一つを含む商品を特定する特定ステップと、
前記ネットワークを介して前記特定された商品を購入するためのページデータを閲覧する際に用いる前記ネットワーク上のアドレスを含み、前記商品に含まれる一部の文章、画像又は音声を前記広告として前記ネットワーク上で公開するための公開情報を生成する生成ステップと、
前記生成された公開情報を該当するユーザがネットワーク上に公開されたユーザコンテンツに登録するために該当する通信端末装置に提供する提供ステップと、
を含むことを特徴とする広告提供方法。
【請求項１３】
ネットワークを介して接続された通信端末装置に対して、各種の商品に関する情報を提供する情報提供方法であって、
前記ネットワーク上に公開され、予め登録された前記商品に関する特定のユーザによってユーザコンテンツ上に提供された広告情報が閲覧又は利用される毎に、当該広告情報の利用回数及び利用種別の少なくともいずれか一方の情報を取得する取得ステップと、
前記取得された各広告情報の利用回数及び利用種別の少なくともいずれか一方に基づいて、当該各広告情報の有用性を数値化する数値化ステップと、
前記ネットワーク上に公開された前記商品に関する商品コンテンツであって、複数の異なるユーザが提供している前記広告情報を含む商品コンテンツを、閲覧者の要求に応じて該当する通信端末装置に当該閲覧者に閲覧可能に提供する提供ステップと、
前記各広告情報の数値化された有用性を用いて、当該各広告情報の商品コンテンツ内の配置を変更する変更ステップと、
を備えることを特徴とする情報提供方法。
【発明の詳細な説明】
【技術分野】
【０００１】
本発明は、ネットワークを介して、各種商品に関する情報を提供する情報提供装置、広告提供方法及びプログラムに関する。
【背景技術】
【０００２】
近年、ＷＷＷ（Ｗｏｒｌｄ  Ｗｉｄｅ  Ｗｅｂ）などのネットワーク技術の発展、及び、パーソナルコンピュータ（ＰＣ）やスマートフォンなどに代表される情報通信端末装置（以下、「通信端末装置」という。）の進歩に伴い、ユーザは、自身の通信端末装置を用いて、ネットワーク上のオンラインストアのサイトにアクセスして、当該サイト上にて、商品を検索し、自身の所望する商品を購入できるようになっている。
【０００３】
また、近年、オンラインストアにおける商品販売を促進するため、ネットワーク上に設けられた各種のＷｅｂサイト（例えば、ブログ等）にて、各種商品に関する広告を公開することが行われている（以下、広告の公開されるＷｅｂサイトを「広告サイト」という。）。
【０００４】
この種の広告には、オンラインストアの商品販売ページ、又は、オンラインストアのホームページに対応するＵＲＬ（Ｕｎｉｆｏｒｍ  Ｒｅｓｏｒｃｅ  Ｌｏｃａｔｏｒ）がリンクとして埋め込まれており、サイト閲覧ユーザが、広告をクリックなどによって選択すると、当該広告に対応する商品の商品販売のＷｅｂページ等にジャンプするようになっている。
【０００５】
ユーザは、このようにして到達した、商品販売に関するＷｅｂページ等にて、当該商品に関する各種の情報（例えば、商品名、価格、説明、レビュー等）を確認しつつ、所望する商品を購入することができるようになっている。
【０００６】
また、この種の広告は、当該広告を利用して商品販売のＷｅｂページを閲覧したユーザや当該商品販売のＷｅｂページを利用して商品を購入したユーザの人数に応じて、サイトの運営者に報酬が支払われる、成功報酬型の広告（いわゆる、アフィリエイト）になっているため、広告サイトの開設者は、当該商品に対する自身の評価、又は、他のユーザの評価を示す評価情報を広告とともに公開する等して、自身のＷｅｂサイトの利用価値を高め、広告の効果を向上させて、報酬の取得につなげている。
【０００７】
一方、商品が、例えば、書籍、音楽、映像プログラム（例えば、映画、ドラマ等）等のコンテンツ、又は、当該コンテンツを記録した記録媒体、である場合には、当該書籍等のタイトル又は表紙、ジャケット等、からなる広告とともに、評価情報を公開しても、広告されている書籍等が如何なる内容について書かれたものであるのかをユーザが特定できない可能性がある。また、このような場合には、ユーザが、書籍購入に踏み切れない可能性があり、ユーザに対する商品の販売機会を逸失する可能性がある。
【０００８】
このため、最近では、書籍の販売に先立って、書籍のサンプルをユーザに提供することにより、販売機会の逸失を防止するシステムが提案されている（例えば、特許文献１及び２）。
【先行技術文献】
【特許文献】
【０００９】
【特許文献１】特開２０００−７６３３８号公報
【特許文献２】再表２０１２−０３９５４号公報
【発明の概要】
【発明が解決しようとする課題】
【００１０】
しかしながら、上記特許文献１及び２に開示されたシステムにあっては、販売機会の逸失を防ぐことはできても、商品の販売を促進するためには、不十分である。
【００１１】
本発明は、上記課題を解決するためになされたものであり、その目的は、オンラインストアなどのネットワークを用いた店舗において、電子書籍等の商品を販売する際における販売機会の逸失を防ぐとともに、有効に商品の販売を促進することが可能な情報提供装置等を提供することにある。
【課題を解決するための手段】
【００１２】
（１）上述した課題を解決するため、本発明に係る情報提供装置は、ユーザがネットワーク上に公開されたユーザコンテンツで利用するための各種の商品に関する広告情報を当該ユーザの通信端末装置に提供する情報提供装置であって、前記通信端末装置を介してユーザの特定の商品に関する広告情報を作成するための要求を広告作成要求として受け付ける受付手段と、
前記受け付けた広告作成要求に基づいて、前記広告作成要求をしたユーザによって購入された購入済みの商品であって文章、画像及び音声の少なくとも何れか一つを含む商品を特定する特定手段と、前記ネットワークを介して前記特定された商品を購入するためのページデータを閲覧する際に用いる前記ネットワーク上のアドレスを含み、前記商品に含まれる一部の文章、画像又は音声を前記広告情報として前記ネットワーク上で公開するための公開情報を生成する生成手段と、前記生成された公開情報を前記ユーザコンテンツに登録するために該当する通信端末装置に提供する提供手段と、を備える構成を有している。
【００１３】
この構成により、本発明に係る情報提供装置は、商品購入済みのユーザの購入済みの商品であって、当該商品に含まれる文章、画像又は音声の一部を用いた広告情報を提供することができるので、信頼性の高い有用な広告情報をブログなどのユーザがネットワーク上で公開しているユーザコンテンツで利用することができるとともに、信頼性の高い有用な広告情報によってユーザコンテンツの有用性をも向上させることができる。
【００１４】
したがって、本発明に係る情報提供装置は、ユーザコンテンツと広告情報との双方の信頼性を高めつつ、商品の広告としての相乗効果も期待することができるので、広告の効果を高め、有効に商品の販売を促進することができるとともに、広告情報に含まれたアドレスを利用させることによって、オンラインストアなどの商品を販売する販売サイトに誘導させることができるので、当該商品の販売機会の逸失を防ぐこともできる。
【００１５】
（２）また、本発明に係る情報提供装置は、前記商品が、複数のページによって構成されており、前記生成手段が、前記ユーザにより指定された商品内の一部のページ又は一部の文字列を含む前記公開情報を生成する構成を有している。
【００１６】
この構成により、本発明に係る情報提供装置は、例えば、当該運営者が他のユーザに推薦したい文章又は画像に関する一部分を広告として、サイトに公開させることができ、広告の効果を向上させ、商品の販売促進に寄与することができる。
【００１７】
（３）また、本発明に係る情報提供装置は、公開が禁止された前記商品コンテンツの一部を示す公開禁止部位情報を取得する公開禁止部位情報取得手段を更に備え、前記生成手段が、前記公開禁止部位に該当する商品コンテンツの部位を用いた公開情報の作成を禁止する構成を有している。
【００１８】
この構成により、本発明に係る情報提供装置は、事前に公開を禁止したい部分を指定することにより当該部分が広告として公開されることを防止できるので、例えば、推理小説等の書籍において、犯人に関する記載部分が広告として、公開されることを防止することができる。
【００１９】
（４）また、本発明に係る情報提供装置は、前記公開情報を利用して作成された広告の利用状況に関する利用状況情報を取得する利用状況情報取得手段を更に備える構成を有している。
【００２０】
この構成より本発明に係る情報提供装置は、商品の広告が公開される各サイトがどの程度利用されているのかを特定し、アフィリエイトを実現する場合に、広告に対する報酬を適切に決定することができる。
【００２１】
（５）また、本発明に係る情報提供装置は、前記利用状況情報取得手段が、前記広告情報に含まれるアドレスに基づいて前記利用状況情報を取得する成を有している。
【００２２】
この構成により、本発明に係る情報提供装置は、ネットワーク上におけるアドレスに基づき、広告の公開されたサイトの利用状況を特定できるので、利用状況情報の取得に要する処理を簡易化することができ、情報提供装置における演算量を削減することができる。
【００２３】
（６）また、本発明に係るプログラムは、ネットワークを介して接続された通信端末装置に対して、各種の商品に関する広告を作成するための情報を提供する情報提供装置を、前記通信端末装置を介してユーザの特定の商品に関する前記広告を作成するための要求を広告作成要求として受け付ける受付手段、前記受け付けた広告作成要求に基づいて、前記広告作成要求をしたユーザによって購入された購入済みの商品であって文章、画像及び音声の少なくとも何れか一つを含む商品を特定する特定手段、前記ネットワークを介して前記特定された商品を購入するためのページデータを閲覧する際に用いる前記ネットワーク上のアドレスを含み、前記商品に含まれる一部の文章、画像又は音声を前記広告として前記ネットワーク上で公開するための公開情報を生成する生成手段、前記生成された公開情報を該当するユーザがネットワーク上に公開されたユーザコンテンツに登録するために該当する通信端末装置に提供する提供手段、として機能させる構成を有している。
【００２４】
この構成により、本発明に係るプログラムは、商品購入済みのユーザの購入済みの商品であって、当該商品に含まれる文章、画像又は音声の一部を用いた広告情報を提供することができるので、信頼性の高い有用な広告情報をブログなどのユーザがネットワーク上で公開しているユーザコンテンツで利用することができるとともに、信頼性の高い有用な広告情報によってユーザコンテンツの有用性をも向上させることができる。
【００２５】
したがって、本発明に係るプログラムは、ユーザコンテンツと広告情報との双方の信頼性を高めつつ、商品の広告としての相乗効果も期待することができるので、広告の効果を高め、有効に商品の販売を促進することができるとともに、広告情報に含まれたアドレスを利用させることによって、オンラインストアなどの商品を販売する販売サイトに誘導させることができるので、当該商品の販売機会の逸失を防ぐこともできる。
【００２６】
（７）また、本発明に係る情報提供装置は、ネットワークを介して接続された通信端末装置に対して、各種の商品に関する情報を提供する情報提供装置であって、前記ネットワーク上に公開され、予め登録された前記商品に関する特定のユーザによってユーザコンテンツ上に提供された広告情報が閲覧又は利用される毎に、当該広告情報の利用回数及び利用種別の少なくともいずれか一方の情報を取得する取得手段と、前記取得された各広告情報の利用回数及び利用種別の少なくともいずれか一方に基づいて、当該各広告情報の有用性を数値化する数値化手段と、前記ネットワーク上に公開された前記商品に関する商品であって、複数の異なるユーザが提供している前記広告情報を含む商品コンテンツを、閲覧者の要求に応じて該当する通信端末装置に当該閲覧者に閲覧可能に提供する提供手段と、前記各広告情報の数値化された有用性を用いて、当該各広告情報の商品コンテンツ内の配置を変更する変更手段と、を備える構成を有している。
【００２７】
この構成により、本発明に係る情報提供装置は、オンラインストアのサイト外にて公開されるユーザコンテンツ上に提供された各広告情報の数値化された有用性を用いて、当該各広告情報の商品コンテンツ内の配置を変更しつつ、該当する通信端末装置に当該変更後の商品コンテンツを提供することができる。
【００２８】
すなわち、本発明に係る情報提供装置は、例えば、外部サイトにて公開されている有用性の高い商品に関するレビューを商品コンテンツを閲覧する際に閲覧しやすい位置に配置し、ユーザの商品購入時における新たな判断材料として利用することができるので、広告の効果を高めて、商品の販売を有効に促進することができるとともに、オンラインストアにおいて書籍等の商品を販売する際における、販売機会の逸失を防ぐことができる。
【００２９】
（８）また、本発明に係る情報提供装置は請求項７に記載の情報提供装置であって、前記数値化手段が、前記広告情報の利用種別に応じて異なる重み付けを用いて各広告情報の有用性を数値化する、構成を有している。
【００３０】
この構成により、本発明に係る情報提供装置は、例えば、単に広告情報が閲覧されたのみなのか、広告情報に誘導されて、オンラインストア上の商品購入のためのページへの誘導されたのか、又は、実際に商品を購入したのかという利用種別に応じて、広告情報の有用性を数値化することができるので、アフィリエイトを実現する際に、適切に報酬を決定することができる。
【００３１】
（９）また、本発明に係る情報提供装置は、前記変更手段が、前記数値化された前記有用性が高いと判断される数値を有する広告情報の前記商品コンテンツ内の位置を、他の広告情報より先に閲覧される位置に変更する、構成を有している。
【００３２】
この構成により、本発明に係る情報提供装置は、有用性の高い順に広告情報を並び替えつつ、商品コンテンツを変更することができるので、商品コンテンツの閲覧者に有用性の高い広告情報を優先的に提示して、販売機会の逸失を防止することができる、
【００３３】
（１０）また、本発明に係る情報提供装置は、請求項７〜９のいずれか１項に記載の情報提供装置であって、前記広告情報には、前記商品の評価に関する情報が含まれる、構成を有している。
【００３４】
この構成により、本発明に係る情報提供装置は、商品の購入済みユーザが自身の感想等を広告情報として、ユーザコンテンツ上にて、公開した場合に、当該感想を商品コンテンツに反映させることができる。
【００３５】
（１１）また、本発明に係るプログラムは、ネットワークを介して接続された通信端末装置に対して、各種の商品に関する情報を提供する情報提供装置を、前記ネットワーク上に公開され、予め登録された前記商品に関する特定のユーザによってユーザコンテンツ上に提供された広告情報が閲覧又は利用される毎に、当該広告情報の利用回数及び利用種別の少なくともいずれか一方の情報を取得する取得手段、前記取得された各広告情報の利用回数及び利用種別の少なくともいずれか一方に基づいて、当該各広告情報の有用性を数値化する数値化手段、前記ネットワーク上に公開された前記商品に関する商品コンテンツであって、複数の異なるユーザが提供している前記広告情報を含む商品コンテンツを、閲覧者の要求に応じて該当する通信端末装置に当該閲覧者に閲覧可能に提供する提供手段、前記各広告情報の数値化された有用性を用いて、当該各広告情報の商品コンテンツ内の配置を変更する変更手段、として機能させる構成を有している。
【００３６】
この構成により、本発明に係るプログラムは、オンラインストアのサイト外にて公開されるユーザコンテンツ上に提供された各広告情報の数値化された有用性を用いて、当該各広告情報の商品コンテンツ内の配置を変更しつつ、該当する通信端末装置に当該変更後の商品コンテンツを提供することができる。
【００３７】
すなわち、本発明に係るプログラムは、例えば、外部サイトにて公開されている有用性の高い商品に関するレビューを商品コンテンツを閲覧する際に閲覧しやすい位置に配置し、ユーザの商品購入時における新たな判断材料として利用することができるので、広告の効果を高めて、商品の販売を有効に促進することができるとともに、オンラインストアにおいて書籍等の商品を販売する際における、販売機会の逸失を防ぐことができる。
【００３８】
（１２）また、本発明に係る広告情報提供方法は、ネットワークを介して接続された通信端末装置に対して、各種の商品に関する広告情報を提供する広告提供方法であって、前記通信端末装置を介してユーザの特定の商品に関する前記広告を作成するための要求を広告作成要求として受け付ける受付ステップと、前記受け付けた広告作成要求に基づいて、前記広告作成要求をしたユーザによって購入された購入済みの商品であって文章、画像及び音声の少なくとも何れか一つを含む商品を特定する特定ステップと、前記ネットワークを介して前記特定された商品を購入するためのページデータを閲覧する際に用いる前記ネットワーク上のアドレスを含み、前記商品に含まれる一部の文章、画像又は音声を前記広告として前記ネットワーク上で公開するための公開情報を生成する生成ステップと、前記生成された公開情報を該当するユーザがネットワーク上に公開されたユーザコンテンツに登録するために該当する通信端末装置に提供する提供ステップと、を含む構成を有している。
【００３９】
この構成により、本発明に係る広告情報提供方法は、商品購入済みのユーザの購入済みの商品であって、当該商品に含まれる文章、画像又は音声の一部を用いた広告情報を提供することができるので、信頼性の高い有用な広告情報をブログなどのユーザがネットワーク上で公開しているユーザコンテンツで利用することができるとともに、信頼性の高い有用な広告情報によってユーザコンテンツの有用性をも向上させることができる。
【００４０】
したがって、本発明に係る広告情報提供方法は、ユーザコンテンツと広告情報との双方の信頼性を高めつつ、商品の広告としての相乗効果も期待することができるので、広告の効果を高め、有効に商品の販売を促進することができるとともに、広告情報に含まれたアドレスを利用させることによって、オンラインストアなどの商品を販売する販売サイトに誘導させることができるので、当該商品の販売機会の逸失を防ぐこともできる。
【００４１】
（１３）また、本発明に係る情報提供方法は、ネットワークを介して接続された通信端末装置に対して、各種の商品に関する情報を提供する情報提供方法であって、前記ネットワーク上に公開され、予め登録された前記商品に関する特定のユーザによってユーザコンテンツ上に提供された広告情報が閲覧又は利用される毎に、当該広告情報の利用回数及び利用種別の少なくともいずれか一方の情報を取得する取得ステップと、前記取得された各広告情報の利用回数及び利用種別の少なくともいずれか一方に基づいて、当該各広告情報の有用性を数値化する数値化ステップと、前記ネットワーク上に公開された前記商品に関する商品コンテンツであって、複数の異なるユーザが提供している前記広告情報を含む商品コンテンツを、閲覧者の要求に応じて該当する通信端末装置に当該閲覧者に閲覧可能に提供する提供ステップと、前記各広告情報の数値化された有用性を用いて、当該各広告情報の商品コンテンツ内の配置を変更する変更ステップと、を備える構成を有している。
【００４２】
この構成により、本発明に係る情報提供方法は、オンラインストアのサイト外にて公開されるユーザコンテンツ上に提供された各広告情報の数値化された有用性を用いて、当該各広告情報の商品コンテンツ内の配置を変更しつつ、該当する通信端末装置に当該変更後の商品コンテンツを提供することができる。
【００４３】
すなわち、本発明に係る情報提供方法は、例えば、外部サイトにて公開されている有用性の高い商品に関するレビューを商品コンテンツを閲覧する際に閲覧しやすい位置に配置し、ユーザの商品購入時における新たな判断材料として利用することができるので、広告の効果を高めて、商品の販売を有効に促進することができるとともに、オンラインストアにおいて書籍等の商品を販売する際における、販売機会の逸失を防ぐことができる。
【発明の効果】
【００４４】
本発明の情報提供装置等は、ユーザコンテンツと広告情報との双方の信頼性を高めつつ、商品の広告としての相乗効果も期待することができるので、広告の効果を高め、有効に商品の販売を促進することができるとともに、広告情報に含まれたアドレスを利用させることによって、オンラインストアなどの商品を販売する販売サイトに誘導させることができるので、当該商品の販売機会の逸失を防ぐこともできる。
【図面の簡単な説明】
【００４５】
【図１】本発明に係る第一実施形態における電子書籍販売システムの構成を示すシステム構成図である。
【図２】一実施形態における電子書籍販売サーバ装置の構成を示すブロック図である。
【図３】一実施形態における電子書籍販売コンテンツサーバ装置内のユーザ管理データベースに記録されるデータの一例を示す図である。
【図４】一実施形態における電子書籍販売サーバ装置内の電子書籍データベースに記録されるデータの一例を示す図である。
【図５】一実施形態における電子書籍販売サーバ装置内の広告管理データベースに記録されるデータの一例を示す図である。
【図６】一実施形態における電子書籍販売サーバ装置にて実行される評価情報データベースに記録されるデータの一例を示す図である。
【図７】一実施形態における電子書籍販売システム１において実行される広告作成処理を示すフローチャートである。
【図８】一実施形態においてブログページを作成する際の手順を概念的示すイメージ図（その１）である。
【図９】一実施形態においてブログページを作成する際の手順を概念的示すイメージ図（その２）である。
【図１０】一実施形態における電子書籍販売システムにおいて実行される評価情報収集処理を示すフローチャートである。
【図１１】一実施形態における電子書籍販売システムにおいて実行される購入処理を示すフローチャートである。
【図１２】一実施形態における通信端末装置に提供される販売Ｗｅｂページの一例を示す図である。
【発明を実施するための形態】
【００４６】
以下、図面を参照しつつ、本発明の実施形態について説明する。なお、以下の実施形態は、通信端末装置と、電子書籍の販売及び提供（配信）を行う電子書籍販売サーバ装置と、ユーザが開設するブログを管理するブログ管理サーバ装置と、を有する電子書籍販売システムに対して、本発明に係る情報提供装置、広告提供方法及びプログラムを適用した場合の実施形態である。
【００４７】
[１]電子書籍販売システム
本実施形態の電子書籍販売システム１は、オンラインストアなどのネットワーク上において開設されて運営されているＷｅｂページであって電子書籍を販売する販売サイトと、所定のネットワークサービスを用いてユーザによってネットワーク上に提供されるブログなどのＷｅｂページによって形成されるコンテンツ（以下、「ユーザコンテンツ」ともいう。）と、を連動させることによって、広告の効果を高め、有効に商品の販売を促進させるとともに、商品の販売機会の逸失を防ぐことを実現するためのシステムである。
【００４８】
特に、本実施形態においては、ユーザコンテンツとして、販売サイトで購入可能な電子書籍に関するコンテンツとしてのブログをネットワーク上において提供可能なブログサイトとして開設できるようになっており、当該ブログサイトには、電子書籍を広告する広告情報とともに、当該電子書籍に対するユーザの書評を含む評価情報を公開することができるようになっている。
【００４９】
また、電子書籍販売システム１は、ユーザがネットワーク上に公開されたブログサイトで利用するための各種の商品に関する広告情報（すなわち、公開情報としての広告情報）を作成する広告作成処理を実行し、当該生成した広告情報をブログサイトに提供することができるとともに、当該ブログサイトに提供した広告情報に基づいて、成功報酬型広告（アフィリエイト）を実現することが可能な構成を有している。
【００５０】
具体的には、本実施形態の電子書籍販売システム１は、上記のシステムを実現するために、図１に示すように、ブログを保有するユーザ（以下、「ブログユーザ」という。）及びブログを閲覧するユーザ（以下、「閲覧ユーザ」という。）によって利用される複数の通信端末装置１０と、ネットワーク２０と、通信端末装置１０によってアクセス可能なネットワーク２０上の仮想店舗である商品の販売サイトを管理及び運営する電子書籍販売サーバ装置３０と、各ブログユーザのブログを管理するブログ管理サーバ装置４０と、を有している。
【００５１】
通信端末装置１０は、ブログユーザ及び閲覧ユーザその他によって使用される、ＰＣ（パーソナルコンピュータ）、スマートフォン、タブレット型情報端末装置、又は、携帯用電話機等の携帯型情報通信端末装置であり基地局ＢＳを介して、ネットワーク２０と通信接続される。
【００５２】
また、通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているリソースデータをＵＲＬに基づいて取得し、当該リソースデータに基づき、画像の表示及びデータ通信を行うブラウジング機能を有している。そして、通信端末装置１０は、ブラウジング機能を用いて電子書籍販売サーバ装置３０が提供する販売サイトの閲覧及び商品の購入を行うことができるとともに、ブログ管理サーバ装置４０によって管理されている各ブログユーザのブログの閲覧を行うことができるようになっている。
【００５３】
さらに、通信端末装置１０は、キーボード、マウス、タッチパネル等、ユーザの入力操作を受け付ける操作部及び液晶パネル等により構成される表示部を有しており、ブログ管理サーバ装置４０と連動し、販売サイトとは異なる外部サイトに形成されたブログに対応するページ（以下、「ブログページ」という。）のデータ（以下、「ブログページデータ」という。）の生成及びその更新を行う（すなわち、アップロードする）ことができるとともに、ユーザの要求に基づいて、アフィリエイトを実現する電子書籍販売サーバ装置３０によって生成された広告情報を取得し、ブログページに埋め込むことができるようになっている。
【００５４】
電子書籍販売サーバ装置３０は、各種のデータベース（以下、「ＤＢ」という。）を有し、通信端末装置１０から販売サイトのページ（すなわち、商品を購入するためのＷｅｂページ（以下、「販売Ｗｅｂページ」という。））に対応するＵＲＬを指定したリクエストを受信すると、当該リクエストに合致するページに対応するデータを該当する通信端末装置１０に配信する構成を有している。
【００５５】
また、電子書籍販売サーバ装置３０は、販売Ｗｅｂページに従ったユーザの入力操作に応じて通信端末装置１０から送信された電子書籍の購入要求に応じて、決済処理を実行し、当該ユーザの購入した電子書籍に対応するデータ（以下、「電子書籍データ」という。）を商品コンテンツとして該当する通信端末装置１０に配信する構成を有している。
【００５６】
一方、電子書籍販売サーバ装置３０は、ユーザがネットワーク２０上に公開されたユーザコンテンツ、すなわち、ブログで利用するための各種の商品（具体的には、電子書籍）に関する広告情報を当該ユーザの通信端末装置１０に提供する構成を有している。
【００５７】
具体的には、電子書籍販売サーバ装置３０は、
（１）ブログにて特定の商品の広告を公開しようとするブログユーザの通信端末装置１０から広告を作成するための要求（以下、「広告作成要求」という。）を受け付け、
（２）当該受け付けた広告作成要求に基づいて、広告作成要求をしたブログユーザによって購入された購入済みの電子書籍（以下、「購入済み電子書籍」という。）であって文章及び画像の少なくとも何れか一つを含む電子書籍を特定し、
（３）ネットワーク２０を介して特定された電子書籍を購入するための販売サイト（すなわち、販売Ｗｅｂページ）を閲覧する際に用いるネットワーク２０上のアドレス（ＵＲＬ）を含み、電子書籍内の一部の文章又は画像を広告情報としてネットワーク２０上で公開するための公開情報を生成し、
（４）生成された公開情報（すなわち、電子書籍の広告情報）をユーザコンテンツであるブログに登録するために該当する通信端末装置１０に提供する、
構成を有している。
【００５８】
特に、電子書籍販売サーバ装置３０は、広告情報として、
（３Ａ）電子書籍に対応する電子書籍データから抽出した部位の画像又は文字列と、
（３Ｂ）当該電子書籍の販売ＷｅｂページのＵＲＬと、
（３Ｃ）割り当てられた広告を識別するための広告ＩＤと、
（３Ｄ）当該電子書籍の表紙、タイトル、著者名、書籍説明、書籍のあらすじ等の書籍情報と、
含む広告情報を生成する構成になっている。
【００５９】
他方、電子書籍販売サーバ装置３０は、生成して提供された広告情報に基づいてブログページデータが生成されてブログ管理サーバ装置４０に登録されると、当該登録されたブログページの情報を該当する商品購入サイトに閲覧可能に組み込む構成を有している。
【００６０】
また、電子書籍販売サーバ装置３０は、ブログ管理サーバ装置４０と連動し、当該ブログ管理サーバ装置４０において提供されているブログページデータに関し、通信端末装置１０からブログページデータの閲覧リクエストその他の広告情報の利用種別に基づいて、成功報酬型広告（アフィリエイト）における広告情報を評価するとともに、該当する商品の電子書籍の販売サイトにおける評価された広告情報を有する情報の配置を変更することが可能な構成を有している。
【００６１】
具体的には、電子書籍販売サーバ装置３０は、
（Ａ）各広告情報の有用性を数値化し、
（Ｂ）ネットワーク２０上に公開された商品に関する商品コンテンツであって、複数の異なるブログユーザが提供している広告情報を含む商品コンテンツを、閲覧者の要求に応じて該当する通信端末装置に当該閲覧者に閲覧可能に提供し、
（Ｃ）各広告情報の数値化された有用性を用いて、当該各広告情報の販売サイト内の配置を変更する、
構成を有している。
【００６２】
なお、広告情報の形式は任意であり、例えば、オブジェクト指向言語等により記述されたスクリプトとして広告情報を生成するようにしてもよい。
【００６３】
ブログ管理サーバ装置４０は、ブログＤＢ５０を有し、通信端末装置１０からアップロードされたブログページデータを一元的に管理する。
【００６４】
具体的には、ブログ管理サーバ装置４０は、ブログユーザの通信端末装置１０から広告情報と評価情報とを有するブログページデータがアップロードされると、当該ブログページデータに広告情報を埋め込みつつ、ブログページデータをブログＤＢ５０に記録させる。そして、ブログ管理サーバ装置４０は、通信端末装置１０から特定のブログの閲覧をするためのリクエスト（以下、「閲覧リクエスト」という。）を受信すると、該当するブログページデータを該当する通信端末装置１０に配信する。
【００６５】
なお、ブログページデータが通信端末装置１０に配信されると、当該データに含まれる広告情報に基づき、ブログユーザの指定部位、及び、電子書籍の表紙等が広告として表示されるとともに、評価情報に従って、当該電子書籍に対するブログユーザの書評等が表示される。
【００６６】
一方、ブログ管理サーバ装置４０は、電子書籍販売サーバ装置３０と連動し、通信端末装置１０からブログページデータの閲覧リクエストその他の広告情報の利用種別に基づいて、当該広告情報の有用性を判断するための情報を収集する処理（以下、「評価情報収集処理」という。）を実行する構成を有している。
【００６７】
なお、評価情報収集処理は、例えば、Ａｊａｘ（エイジャックス）等の非同期通信技術を利用することにより、通信端末装置１０からのリクエスト受信時に処理がスタートするように設定されている。
【００６８】
このような構成により、電子書籍販売システム１は、商品購入済みのユーザの購入済みの商品であって、当該商品の一部を用いた広告情報を提供することができるので、信頼性の高い有用な広告情報をブログなどのユーザがネットワーク上で公開しているユーザコンテンツで利用することができるとともに、信頼性の高い有用な広告情報によってユーザコンテンツの有用性をも向上させることができるようになっている。
【００６９】
したがって、電子書籍販売システム１は、ユーザコンテンツと広告情報との双方の信頼性を高めつつ、商品の広告としての相乗効果も期待することができるので、広告の効果を高め、有効に商品の販売を促進することができるとともに、広告情報に含まれたアドレスを利用させることによって、オンラインストアなどの商品を販売する販売サイトに誘導させることができるので、当該商品の販売機会の逸失を防ぐこともできるようになっている。
【００７０】
［２］電子書籍販売サーバ装置
次に、図２〜６を用いて、本実施形態の電子書籍販売サーバ装置３０の構成について説明する。なお、図２は、本実施形態の電子書籍販売サーバ装置３０の構成を示すブロック図であり、図３〜６は、それぞれ、電子書籍販売サーバ装置３０に設けられた、ユーザ管理ＤＢ３０１、電子書籍ＤＢ３０２、広告管理ＤＢ３０３、評価情報管理ＤＢ３０４に記録されるデータの一例を示す図である。
【００７１】
本実施形態の電子書籍販売サーバ装置３０は、図２に示すように、各種の情報に対応するデータが記録される記録部３００と、ネットワーク２０に通信接続される通信制御部３１０と、各種のメモリとして機能するＲＯＭ／ＲＡＭ３２０と、現在日時を特定するタイマ３３０と、装置全体を制御するサーバ管理制御部３４０と、広告作成処理及び評価情報収集処理を実行するとともに、通信端末装置１０のユーザに対する電子書籍の販売を管理するデータ処理部３５０と、を有し、上記の各部は、バスＢによって相互に接続されている。
【００７２】
記録部３００は、例えば、ＨＤＤ（ハードディスクドライブ）又はＳＳＤ（ソリッドステートドライブ）により構成され、その記録領域内に、少なくとも、販売サイトのサービスに登録しているユーザを管理するための情報がデータとして記録されるユーザ管理ＤＢ３０１と、電子書籍データが記録される電子書籍ＤＢ３０２と、ブログページにて公開される広告情報を管理するための情報がデータとして記録される広告管理ＤＢ３０３と、評価情報収集処理において収集される評価情報が記録される評価情報管理ＤＢ３０４と、が設けられている。
【００７３】
ユーザ管理ＤＢ３０１には、図３に示すように、販売サイトに利用登録済みの各ユーザに割り当てられ、当該ユーザを識別するためのユーザＩＤと対応付けて、当該ユーザに対応するユーザ情報が記録されている。例えば、ユーザ管理ＤＢ３０１には、ユーザ情報として、
（１）アカウント名と、
（２）販売サイトにおけるパスワードと、
（３）電子書籍購入時の決済処理に用いる決済情報と、
（４）当該ユーザの購入済み電子書籍に対応する電子書籍ＩＤと、
が対応付けて記録される。
【００７４】
なお、電子書籍ＩＤとは、電子書籍販売サーバ装置３０において販売中の各電子書籍を識別するために販売サイトの運営者が割り当てる識別情報である。
【００７５】
例えば、図３には、ユーザＩＤ「Ｕ００１」に対応するユーザのユーザ情報として、アカウント名「ｔａｒｏ」購入済み電子書籍ＩＤ「Ｂ１０１、Ｂ１０５、Ｂ２００」、パスワード「＊＊＊＊＊」、決済情報「ｐａｙｍｅｎｔ００１」を含むユーザ情報が記録された場合の例が示されている。
【００７６】
電子書籍ＤＢ３０２には、図４に示すように、各電子書籍ＩＤと対応付けて、当該電子書籍の書籍情報と、コメント情報と、電子書籍データ本体が記録される。例えば、電子書籍ＤＢ３０２には、書籍情報として、
（１）電子書籍の属するジャンルと、
（２）電子書籍のタイトルと、
（３）電子書籍の販売価格を示す価格情報と、
（４）電子書籍の内容に関する説明及びあらすじを示す説明文と、
（５）電子書籍の販売ＷｅｂページのＵＲＬと、
が記録さている。
【００７７】
なお、電子書籍ＤＢ３０２に記録されるコメント情報は、電子書籍を購入したユーザ（以下、「購入ユーザ」ともいう。）が、販売サイトのサイト上にて、直接感想等を記入することにより、生成及び登録（記録）されるものであり、評価情報収集処理にて収集され、評価情報管理ＤＢ３０４に記録される評価情報とは、内容が異なっている。
【００７８】
例えば、図４には、電子書籍ＩＤ「Ｂ１０１」と対応付けて、ジャンル「小説」、タイトル「○○の冒険」、価格情報「￥８５０」、説明及びあらすじ「冒険ファンタジー○○は、塔の頂上にある宝物を探して・・・"」、販売ＷｅｂページＵＲＬ「ｈｔｔｐ：／／○○１」なる書籍情報と、コメント情報「良かった！面白かった」と、電子書籍データ「Ｄａｔａ１」が記録された状態が示されている。
【００７９】
広告管理ＤＢ３０３には、図５に示すように、各電子書籍の広告に割り当てられた広告ＩＤに対応付けて、広告情報を特定する各種の情報とともに広告情報が記録される。例えば、広告管理ＤＢ３０３には、
（１）広告ＩＤ
（２）広告に対応する電子書籍の電子書籍ＩＤと、
（３）広告を作成したブログユーザのユーザＩＤと、
（４）広告の公開されるブログページに対応する広告サイトのＵＲＬ及び当該ページにて公開される広告情報（例えば、スクリプトのデータ）と、
が含まれている。
【００８０】
例えば、図５には、広告ＩＤ「ｃｍ００１」と対応付けて、広告サイトＵＲＬ「ｈｔｔｐ：／／○○」、書籍ＩＤ「Ｂ１０１」、広告情報「ｓｃｒｉｐｔ００１」が記録された状態が示されている。
【００８１】
評価情報管理ＤＢ３０４には、図６に示すように、広告の対象物である電子書籍毎に、広告情報が公開されているブログページを特定しつつ、ブログページに掲載されている評価情報と、成功報酬型広告（アフィリエイト）における広告情報の評価を数値化するための広告スコアと、が記録される。例えば、評価情報管理ＤＢ３０４には、
（１）書籍ＩＤと、
（２）電子書籍の広告を公開しているブログユーザに対応するユーザＩＤと、
（３）広告の公開されるブログページに対応する広告サイトのＵＲＬと、
（４）広告ＩＤと、
（５）広告の広告スコアと、
（６）評価情報と、
（７）広告サイトのＵＲＬに基づいて商品を購入したユーザＩＤ及びその日時
が対応付けて記録される。なお、広告サイトのＵＲＬ及び評価情報は、評価情報収集処理にてブログ管理サーバ装置４０から取得される。
【００８２】
例えば、図６には、「Ｂ１０１」の書籍に関して広告ＩＤ「ｃｍ００１」及び「ｃｍ００２」に対応する２つ広告が対応するブログページ（すなわち、広告サイト「ｈｔｔｐ：／／〇〇」及び「ｈｔｔｐ：／／□□」）にて公開され、それぞれのブログページにて、「ｒｅｖｉｅｗ００１」、「ｒｅｖｉｅｗ００２」なる評価情報が公開され、広告スコアが「１００００」及び「１５０００」となっており、「ｃｍ００１」のブログから誘導されてユーザ「Ｕ００８」が、「２０１４／０３／０１／１２：００」、ユーザ「Ｕ００９」が、「２０１４／０３／０１／１２：３０」に、それぞれ、書籍「Ｂ１０１」を購入した場合におけるデータ記録例が示されている。
【００８３】
通信制御部３１０は、所定のネットワークインターフェースであり、ネットワーク２０を介して、通信端末装置１０及びブログ管理サーバ装置４０とデータの授受を行う。
【００８４】
ＲＯＭ／ＲＡＭ３２０には、電子書籍販売サーバ装置３０の駆動に必要な各種のプログラムが記録されている。また、ＲＯＭ／ＲＡＭ３２０は、サーバ管理制御部３４０やデータ処理部３５０が各種の処理を実行する際のワークエリアとして用いられる。
【００８５】
サーバ管理制御部３４０は、主に中央演算処理装置（ＣＰＵ）によって構成され、プログラムを実行することによって、電子書籍販売サーバ装置３０の各部を統合制御する。
【００８６】
データ処理部３５０は、独立した中央演算処理装置（ＣＰＵ）によって構成され、又は、サーバ管理制御部３４０の中央演算処理装置（ＣＰＵ）を用いて構成される。そして、データ処理部３５０は、サーバ管理制御部３４０による制御の下、プログラムを実行することにより、各ＤＢ３０１〜３０４を管理するＤＢ管理制御部３５１と、広告作成処理において、ブログユーザの購入済み電子書籍を特定する購入済み電子書籍特定部３５２と、広告情報を生成する広告情報生成部３５３と、評価情報収集処理を実行するとともに、広告の利用状況に応じて、広告スコアを付与する広告有用性算出部３５４と、販売サイトにおける電子書籍の販売を管理する販売処理部３５５と、を実現する。
【００８７】
なお、例えば、本実施形態のＤＢ管理制御部３５１は、本発明の受付手段を実現し、電子書籍特定部３５２は、本発明のび特定手段を実現し、広告情報生成部３５３は、生成手段を実現する。また、ＤＢ管理制御部３５１、広告有用性算出部３５４及び販売処理部３５５は、各々連動しつつ、本発明の利用状況情報取得手段及び取得手段を実現する。
【００８８】
ＤＢ管理制御部３５１は、各ＤＢに対するデータの読み出し及び書き込みを管理する。例えば、ＤＢ管理制御部３５１は、自身のブログにて広告を公開しようとするブログユーザの通信端末装置１０から広告作成要求を受け付けた場合に、任意に広告ＩＤを割り当てつつ、広告管理ＤＢ３０３に各種の情報を記録させる。そして、ＤＢ管理制御部３５１は、広告作成処理が実行された際に、当該広告ＩＤと、広告サイトＵＲＬと、を評価情報ＤＢ３０４に記録させる。
【００８９】
購入済み電子書籍特定部３５２は、広告作成要求を受け付けると、広告作成処理の一環として、当該ブログユーザの購入済み電子書籍を特定するとともに当該特定された購入済み電子書籍の一覧を生成し、該当する通信端末装置１０に配信する。
【００９０】
このとき、購入済み電子書籍特定部３５２は、特定された購入済み電子書籍の書籍情報と、電子書籍データと、を電子書籍ＤＢ３０２から読み出し、当該書籍情報及び電子書籍データに基づき、一覧データを作成する。
【００９１】
なお、一覧データの形式は、任意であり、タイトルの一覧を表示する形式であってもよく、例えば、電子書籍の表紙をサムネイル表示する形式であってもよい。また、購入済み電子書籍特定部３５２は、通信端末装置１０において、一覧に示される購入済み電子書籍の一部をブログユーザが閲覧可能に表示するため、電子書籍データの少なくとも一部を含む一覧データを生成する。
【００９２】
広告情報生成部３５３は、広告作成処理において、通信端末装置１０に配信された一覧に従い、広告作成要求をしたブログユーザが選択した部位を含む広告情報を生成し、該当する通信端末装置１０に配信する。そして、広告情報生成部３５３は、このとき、ＤＢ管理制御部３５１と連動しつつ、生成した広告情報を広告管理ＤＢ３０３に記録させる。
【００９３】
広告有用性算出部３５４は、閲覧ユーザによってプログページの広告情報が閲覧されたときに、当該ブログページの広告情報を経由して商品の販売Ｗｅｂページの取得要求が行われたときに、また、当該取得要求後に該当する閲覧ユーザが販売Ｗｅｂページより商品を購入したときに、それぞれ、広告スコアに所定数のポイントを加算することにより、各広告の有用性を数値化する。
【００９４】
販売処理部３５５は、通信制御部３１０を介して、通信端末装置１０から特定の商品における販売Ｗｅｂページの取得要求を受信すると、当該取得要求に対応する電子書籍の書籍情報に基づいて、販売Ｗｅｂページのデータを該当する通信端末装置１０に配信する。このとき、販売処理部３５５は、評価情報管理ＤＢ３０４に記録済みの評価情報に基づき、当該電子書籍に対応するレビューを組み込んだ販売Ｗｅｂページのデータを通信端末装置１０に配信する。なお、この販売Ｗｅｂページは、例えば、本発明の商品コンテンツを実現する。
【００９５】
また、販売処理部３５５は、販売Ｗｅｂページに従って、通信端末装置１０から送信される商品の購入要求を受信すると、ユーザ管理ＤＢ３０１に記録された決済情報に従って、決済処理を実行し、当該ユーザの購入した電子書籍の電子書籍データを該当する通信端末装置１０に配信する。
【００９６】
［３］電子書籍販売システムの動作
［３．１］広告作成処理
次に、図７〜図９を参照しつつ、本実施形態の電子書籍販売システム１において実行される広告作成処理について、説明する。なお、図７は、電子書籍販売システム１において実行される広告作成処理を示すフローチャートであり、図８及び図９は、本実施形態においてブログページを作成する際の手順を概念的示すイメージ図である。
【００９７】
本動作において、ユーザ管理ＤＢ３０１及び電子書籍ＤＢ３０２に、図３及び図４に例示する各種の情報が記録済みであるものとし、通信端末装置１０においては、所定のホーム画面を表示させつつ、ユーザによる広告作成の指示を待機する状態となっているものとする。
【００９８】
まず、ブログユーザの通信端末装置１０は、広告の作成指示を検出すると（ステップＳａ１００）、ブラウジング機能を利用しつつ、自機のユーザに対応するユーザＩＤを付加した広告情報の取得要求を電子書籍販売サーバ装置３０に送信して（ステップＳａ１０１）、受信待機状態に移行する（ステップＳａ１０２）。
【００９９】
次いで、電子書籍販売サーバ装置３０においては、通信制御部３１０が、通信端末装置１０から送信された広告情報の取得要求を受信すると（ステップＳａ３０１）、電子書籍特定部３５２は、当該取得要求に付加されたユーザＩＤをＲＯＭ／ＲＡＭ３２０に記録させるとともに、当該ユーザＩＤに基づき、ユーザ管理ＤＢ３０１を検索して、当該ユーザの購入済み電子書籍を特定する（ステップＳａ３０２）。
【０１００】
次いで、電子書籍特定部３５２は、ユーザ管理ＤＢ３０１から、購入済み電子書籍ＩＤを読み出しつつ、書籍ＤＢ３０２に記録された書籍情報と電子書籍データを読み出し（ステップＳ３０２）、読み出した書籍情報などに基づいて購入済み書籍の一覧データを生成して該当する通信端末装置１０に送信する（ステップＳａ３０３）。なお、電子書籍特定部３５２は、一覧データを送信すると、広告情報を生成するための電子書籍ＩＤなどの必要な情報の受信を待機する。
【０１０１】
次いで、通信端末装置１０は、購入済み書籍の一覧データを受信すると（ステップＳａ１０２）、受信した購入済みの一覧データを画面に表示し、ブログユーザの電子書籍の選択などの入力を待機する（ステップＳａ１０３）なお、通信端末装置１０は、購入済みの一覧データを受信した場合には、図８（Ａ）に示すような画面を表示させる。
【０１０２】
次いで、通信端末装置１０は、表示画面に従いつつ、ブログユーザの操作に基づいて、電子書籍の選択及び当該電子書籍の一部であって広告に使用することを希望するページ、又は、文字列を指定すると（ステップＳａ１０４）、ユーザの指定部位を示す指定部位情報を生成しつつ、ユーザの指定した電子書籍に対応する電子書籍ＩＤと、当該指定部位情報と、を含む広告情報の生成要求を電子書籍販売サーバ装置３０に送信して広告情報の受信待機状態に移行する（ステップＳａ１０５）。
【０１０３】
なお、例えば、通信端末装置１０は、購入済み書籍の一覧データから「書籍Ａ」を選択する旨の入力操作を行うと、図８（Ｂ）に示す画面に遷移させる。
【０１０４】
次いで、電子書籍販売サーバ装置３０においては、通信制御部３１０が広告情報の生成要求を受信すると（ステップＳａ３０３）、広告情報生成部３５３は、受信した生成要求に含まれる電子書籍ＩＤに基づいて該当する書籍情報を電子書籍ＤＢ３０２から読み出すとともに、当該受信した生成要求に含まれる指定部位情報に基づいて、当該読み出した電子書籍データから該当する部位（以下、「指定部位」といい、例えば、ページ又は特定の文字列を示す。）を抽出する（ステップＳａ３０４）。
【０１０５】
次いで、広告情報生成部３５３は、受信した生成要求に含まれるユーザＩＤ及び電子書籍ＩＤと、取得した書籍情報と、抽出した電子書籍の指定部位とに基づいて、広告情報を生成しつつ、広告ＩＤを割り当てるとともに、広告情報を含む各種の情報を広告管理ＤＢに記録させる（ステップＳａ３０５）。
【０１０６】
なお、また、広告情報生成部３５３は、割り当てた広告ＩＤと、書籍情報より読み出した電子書籍の販売Ｗｅｂページに対応するＵＲＬを含む広告情報を、例えば、図９（Ａ）に示すようなスクリプトとして、生成する。
【０１０７】
次いで、広告情報生成部３５３は、生成した広告情報を通信端末装置１０に送信して受信待機状態に移行する（ステップＳａ３０６）。
【０１０８】
次いで、通信端末装置１０は、電子書籍販売サーバ装置３０から送信された広告情報を受信すると（ステップＳａ１０６）、受信した広告情報を生成しているブログページデータに埋め込み、例えばＸＭＬ形式などの所定のデータ形式を有するブログページデータを完成させる（ステップＳａ１０７）。なお、通信端末装置１０は、例えば、図９（Ｂ）に示すような広告情報を埋め込んだブログページデータを生成する。
【０１０９】
次いで、通信端末装置１０は、完成させたブログページをブログ管理サーバ装置４０にアップロードするとともに当該ブログページのＵＲＬをブログ管理サーバ装置４０から取得する（ステップＳａ１０８）。
【０１１０】
次いで、通信端末装置１０は、取得したブログページに対応するＵＲＬを広告サイトＵＲＬとして、電子書籍販売サーバ装置３０に送信して（ステップＳａ１０９）本動作を終了させる。
【０１１１】
なお、ブログ管理サーバ装置４０は、ブログＤＢ５０に当該アップロードされたブログページのデータを記録するとともに、その後に、閲覧ユーザによって通信端末装置１０を用いて広告サイトＵＲＬを指定したリクエストを受信した場合に、該当するブログページのデータを通信端末装置１０に配信する。
【０１１２】
次いで、電子書籍販売サーバ装置３０においては、通信制御部３１０が、通信端末装置１０から送信された広告サイトＵＲＬを受信すると（ステップＳａ３０７）、ＤＢ管理制御部３５１は、広告管理ＤＢ３０３の該当する広告ＩＤと対応付けられたフィールドに受信された広告サイトＵＲＬを記録させて（ステップＳａ３０８）本動作を終了させる。
【０１１３】
［４．２］評価情報収集処理
次に、図１０を参照しつつ、本実施形態の電子書籍販売システム１において実行される評価情報収集処理について説明する。なお、図１０は、本実施形態の電子書籍販売システム１において実行される評価情報収集処理を示すフローチャートである。
【０１１４】
本動作に先立ち、上記広告作成処理が完了しており、各ＤＢ３０１〜３０４には、図３〜６に例示する情報が記録済みであるものとし、ブログ管理サーバ装置４０は、通信端末装置１０からのアクセスを待機する状態となっている。
【０１１５】
まず、ブログ管理サーバ装置４０は、閲覧ユーザの指示に基づいて、通信端末装置１０から、広告情報が公開されている所定のブログページに対応する広告サイトＵＲＬ（すなわち、ブログページのＵＲＬ）を指定した当該ブログページの取得リクエストを受信すると（ステップＳｂ４００）、該当する広告サイトＵＲＬを有するブログページデータをブログＤＢ５０から読み出して該当する通信端末装置１０に送信する（ステップＳｂ４０１）。
【０１１６】
次いで、ブログ管理サーバ装置４０は、読み出したブログページデータに埋め込まれた広告情報のスクリプトを実行し（ステップＳｂ４０２）、当該広告情報に含まれる広告ＩＤと、広告サイトＵＲＬを電子書籍販売サーバ装置３０に送信して受信待機状態に移行する（ステップＳｂ４０３）。
【０１１７】
次いで、電子書籍販売サーバ装置３０においては、通信制御部３１０が、ブログ管理サーバ装置４０から送信された広告ＩＤ等を受信すると（ステップＳｂ３０１）、広告有用性算出部３５４は、受信した広告ＩＤと広告サイトＵＲＬの組み合わせが、評価情報管理ＤＢ３０４に既に記録済みであるか否かを判定する（ステップＳｂ３０３）。
【０１１８】
次いで、広告有用性算出部３５４は、ステップＳｂ３０３の処理において、受信した広告ＩＤと広告サイトＵＲＬの組み合わせが、評価情報管理ＤＢ３０４に記録済みでないと判定した場合には、広告ＩＤに基づいて広告情報ＤＢ３０３から各情報を読み出しつつ、必要な情報を評価情報管理ＤＢ３０４に新規に記録する（ステップＳｂ３０４）。このとき、広告有用性算出部３５４は、広告ＩＤに対応する広告スコアを「０」に設定する。
【０１１９】
次いで、広告有用性算出部３５４は、ブログ管理サーバ装置４０と連動して該当するブログページデータに含まれる評価情報を取得し、当該取得した評価情報を評価情報管理ＤＢ３０４に記録し（ステップＳｂ３０５）、ステップＳｂ３０６の処理に移行する。
【０１２０】
次いで、広告有用性算出部３５４は、ステップＳｂ３０３の処理において、受信した広告ＩＤと広告サイトＵＲＬの組み合わせが、評価情報管理ＤＢ３０４に記録済みであると判定した場合、又は、ステップＳ３０５の処理において評価情報管理ＤＢ３０４に評価情報を記録した場合には、広告ＩＤと対応付けて該当する広告スコアを所定のポイント、例えば「１ポイント」加算し（ステップＳｂ３０５）、本動作を終了させる。
【０１２１】
一方、ブログ管理サーバ装置４０は、電子書籍販売サーバ装置３０から一定期間内に評価情報の取得要求を受信したか否かを判定する（ステップＳｂ４０３）。このとき、ブログ管理サーバ装置４０は、一定期間内に当該取得要求を受信していない判定した場合には、本動作を終了させるとともに（ステップＳｂ４０３）、一定期間内に当該取得要求を受信したと判定した場合には、該当するブログページデータから評価情報を抽出するとともに当該抽出した評価情報を電子書籍販売サーバ装置３０に送信し（ステップＳｂ４０４）、本動作を終了させる。
【０１２２】
［４．３］電子書籍購入時の動作
次に、図１１及び図１２を参照しつつ本実施形態の電子書籍販売システム１によって実行される販売サイトにおける電子書籍の購入の動作について説明する。なお、図１１は、本実施形態の電子書籍販売システム１において、電子書籍の購入時に実行される処理を示すフローチャートであり、図１２は、本実施形態おいて通信端末装置１０に提供される販売Ｗｅｂページの一例を示す図である。
【０１２３】
この処理に先立って上述の広告作成処理及び評価情報収集処理が実行されており、各ＤＢ３０１〜３０４には、図３〜図６に例示する各種の情報が記録済みであるものとし、通信端末装置１０においては、所定のホーム画面を表示させつつ、ユーザによる指示入力を待機する状態となっているものとする。
【０１２４】
また、本動作は、通信端末装置１０によってブログページから販売Ｗｅｂページに遷移し、当該販売Ｗｅｂページから商品である電子書籍を購入する流れを用いて説明する。
【０１２５】
まず、通信端末装置１０は、所定のブログページに対応する広告サイトＵＲＬを指定しつつ、ブログページの閲覧を指示する旨の入力操作を行うと（ステップＳｃ１０１）、ブログ管理サーバ装置４０にブログページの取得要求リクエストを送信することにより、当該ＵＲＬに対応するブログページのデータを取得して（ステップＳｃ１０２）、当該データに基づく表示をし、ユーザによる広告情報の選択を待機する状態に移行する（ステップＳｃ１０３）。なお、このとき、通信端末装置１０には、図１１（Ｂ）に示すようなブログページが表示される。
【０１２６】
そして、通信端末装置１０は、ユーザが広告情報を選択する入力操作を行うと（ステップＳｃ１０４）、広告情報に含まれる広告ＩＤ及び販売ＷｅｂページのＵＲＬを抽出して、当該販売ＷｅｂページのＵＲＬを含む販売Ｗｅｂページ取得要求を電子書籍販売サーバ装置３０に送信し、受信待機状態に移行する（ステップＳｂ１０６）。
【０１２７】
このとき、通信端末装置１０は、広告サイトＵＲＬ（すなわち、閲覧中のブログページに対応するＵＲＬ）と、広告情報から抽出した広告ＩＤと、を取得要求に付加する。
【０１２８】
次いで、電子書籍販売サーバ装置３０においては、通信制御部３１０が、販売Ｗｅｂページの取得要求を受信すると（ステップＳｃ３００）、販売処理部３５５は、当該要求に付加された広告ＩＤと広告サイトＵＲＬを抽出し、ユーザＩＤとともに当該広告ＩＤ及び広告サイトＵＲＬをＲＯＭ／ＲＡＭ３２０に記録する（ステップＳｃ３０１）。
【０１２９】
次いで、販売処理部３５５は、評価情報管理ＤＢ３０４に、当該広告ＩＤと広告サイトＵＲＬの組み合わせと対応付けられた広告スコアを「１０ポイント」加算する（ステップＳｃ３０２）。
【０１３０】
なお、ブログページから販売Ｗｅｂページに誘導されたユーザが出現すると、販売処理部３５５は、ブログページにアクセスしたユーザが出現した場合よりも高いポイント数を広告スコアに加算する。したがって、本実施形態おいては、広告スコアに応じて、広告の有用性を確実に特定することができるとともに、適切に報酬を決定しつつ、アフィリエイトを実現することができるようになっている。
【０１３１】
次いで、販売処理部３５５は、電子書籍ＤＢ３０２に記録されている書籍情報、広告管理ＤＢ３０３に記録済みの情報及び評価情報管理ＤＢ３０４に記録された評価情報に基づいて、図１２に示すように、例えばＸＭＬ形式などの所定のデータ形式で構成された販売Ｗｅｂページを生成する（ステップＳｃ３０３）。
【０１３２】
具体的には、販売処理部３５５は、図１２に示すように、読み出した書籍情報に基づいて、電子書籍のタイトル、著者名、価格情報、説明及びあらすじと、販売サイトのサイト上におけるコメントと、評価情報管理ＤＢ３０４に記録された外部サイトにて公開された評価情報と、電子書籍を購入するための購入ボタンを含む販売Ｗｅｂページのデータを生成する。また、このとき、販売処理部３５５は、評価情報と対応付けられた広告スコアを読み出し、広告スコアの高い順に評価情報を並び替えつつ、販売Ｗｅｂページに対応するデータを生成する。
【０１３３】
次いで、販売処理部３５５は、このようにして生成された販売Ｗｅｂページのデータを該当する通信端末装置１０に送信し（ステップＳｃ３０４）、受信待機状態に移行する（ステップＳｃ３０５）。
【０１３４】
次いで、通信端末装置１０は、販売Ｗｅｂページのデータを受信すると、当該受信したデータに基づいて販売Ｗｅｂページを表示してユーザによる「購入」ボタンの選択を待機する状態になる（ステップＳｃ１０７）。
【０１３５】
次いで、通信端末装置１０は、ユーザが購入ボタンを選択する入力操作を検出すると（ステップＳｃ１０８）、自機のユーザに対応するユーザＩＤを付加しつつ、電子書籍販売サーバ装置３０に購入要求を送信して受信待機状態に移行する（ステップＳｃ１０９）。なお、通信端末装置１０は、このとき、電子書籍販売サーバ装置３０における電子書籍の購入サービスを享受するためのログイン処理を行う。ただし、既に該当するユーザが販売Ｗｅｂページにログインしている場合には、特に、ログイン処理は実行されない。
【０１３６】
次いで、電子書籍販売サーバ装置３０においては、通信制御部３１０が購入要求を受信すると（ステップＳｃ３０５）、販売処理部３５５は、ユーザＩＤ及びログイン情報に基づいて決済処理を実行する（ステップＳｃ３０６）。このとき、販売処理部３５５は、ＲＯＭ／ＲＡＭ３２０に記憶されている広告ＩＤ及び広告サイトＵＲＬとともにユーザＩＤと現在時刻を評価情報ＤＢ３０４に記録する（ステップＳｃ３０７）。
【０１３７】
次いで、販売処理部３５５は、広告ＩＤに対応付けられた広告スコアを「１００ポイント」インクリメントするとともに（ステップＳｃ３０８）、購入要求に対応する電子書籍データを電子書籍ＤＢ３０２から読み出し、該当する通信端末装置１０に配信して（ステップＳｃ３０９）、本動作を終了させる。
【０１３８】
次いで、通信端末装置１０は、電子書籍販売サーバ装置３０から送信された電子書籍データを受信すると（ステップＳｃ１１０）、受信した電子書籍データを表示させて（ステップＳｃ１１１）本動作を終了させる。
【０１３９】
このようにして、本実施形態の電子書籍販売システム１は、ユーザが通信端末装置１０を用いて、広告の公開されたブログページにアクセスする毎に、評価情報収集処理を実行して、ブログ管理サーバ装置４０から、評価情報を収集する構成となっているため、外部サイトにて公開された評価情報を自動的に収集ことができ、ユーザからの評価が得られていない電子書籍に関しても、外部サイトにて公開されている評価情報に基づき、販売Ｗｅｂページにレビューを追加して、ユーザに提供することができる。
【０１４０】
以上、本実施形態の電子書籍販売システム１は、販売Ｗｅｂページにユーザの商品購入時における新たな判断材料を追加できるので、電子書籍の販売を促進することが可能となり、販売サイトにおいて書籍等の商品を販売する際における、販売機会の逸失を防止することができる。
【０１４１】
また、本実施形態の電子書籍販売システム１においては、ブログページにアクセスしたユーザ数と、広告により販売Ｗｅｂページに誘導されたユーザ数と、広告に誘導され、実際に電子書籍を購入したユーザ数の各々に対して重み付けを行いつつ、広告スコアにポイントを加算する構成になっているため、広告の有用性を適切に特定して、報酬を決定しつつ、アフィリエイトを実現することが可能となる。
【０１４２】
さらに、本実施形態の電子書籍販売システム１は、ユーザコンテンツと広告情報との双方の信頼性を高めつつ、商品の広告としての相乗効果も期待することができるので、広告の効果を高め、有効に商品の販売を促進することができるとともに、広告情報に含まれたアドレスを利用させることによって、オンラインストアなどの商品を販売する販売Ｗｅｂページに誘導させることができるので、当該商品の販売機会の逸失を防ぐこともできる。
【０１４３】
［４］変形例
［４．１］変形例１
上記実施形態においては、広告作成処理時において、ブログユーザが自由に電子書籍中の部位を指定できる構成を有しているが、電子書籍中にて公開を禁止する範囲を予め定めておき、当該範囲に関しては広告情報の作成対象から除外する構成としてもよい。
【０１４４】
この場合には、一覧データ中に公開禁止範囲を示す公開禁止部位情報を含ませておき、当該範囲がユーザにより指定された場合に、例えば、「公開禁止箇所です。他の部位を指定して下さい」等の文字列を表示させ、ユーザに他の部位の指定を促すようにしてもよく、単にエラー表示を行い、他の部位の指定を促すようにしてもよい。
【０１４５】
なお、この場合における公開禁止部位情報は、電子書籍ＤＢ３０２に事前に記録するようにしてもよく、外部から取得するようにしてもよい。
【０１４６】
この構成を採用した場合には、事前に公開を禁止したい部位を指定することができるので、例えば、推理小説等の書籍において、犯人に関する記載部分が広告として、公開されることを防止することができる。
【０１４７】
［４．２］変形例２
上記実施形態においては、自由に部位指定を行える構成としたが、例えば、ページ単位、又は、文字数単位にて部位を指定できるようにしてもよい。
【０１４８】
［４．３］変形例３
上記実施形態においては、通信端末装置１０にて、電子書籍を表示する際の形態については言及しなかったが、電子書籍の表示時において、ユーザが、書籍本文にマーカーやコメントを付す機能を持たせ、広告作成処理においては、当該マーカー等が付された部位を指定部位にするようにしてもよい。
【０１４９】
この構成を採用することにより、ブログ開設ユーザの利便性と書籍への興味喚起を向上させることが可能となる。
【０１５０】
［４．４］変形例４
また、ブログページにユーザのプロフィールが公開されている場合には、評価情報収集処理において、ユーザのプロフィールを合わせて、収集するようにして、販売Ｗｅｂページの生成時に、コメントと、プロフィールを併記するようにしてもよい。
【０１５１】
この構成を採用することにより、如何なるユーザがコメントを書いているのかをユーザに提示することが可能となる。
【０１５２】
また、この場合には、プロフィールと広告サイトＵＲＬを対応付けることにより、販売Ｗｅｂページからブログページにジャンプ可能にすることも可能である。
【０１５３】
［４．５］変形例５
上記実施形態においては、ブログページへのアクセスがなされた際に、評価情報収集処理を行う構成を採用していたが、評価情報収集処理後に定期的にブログページから評価情報を収集して、随時、評価情報管理ＤＢ３０４に記録された評価情報を更新する構成としてもよいし、商品の販売時その他のタイミングにおいて評価情報収集処理が実行されてもよい。
【０１５４】
この場合には、評価情報の取得後にブログページにおいて、評価情報が更新された場合であっても、随時、評価情報管理ＤＢ３０４に更新後の評価情報を記録させておくことが可能となる。
【０１５５】
［４．６］変形例６
また、上記実施形態においては、販売Ｗｅｂページにユーザを誘導できたブログページについてのみ、広告スコアを加算する構成を採用したが、ユーザが、複数のブログページを経由して販売Ｗｅｂページに到達した場合には、経由された各ブログページについて、広告スコアを加算する構成とすることも可能である。
【０１５６】
この場合には、ブログページにアクセスする度に、当該ブログページにて、公開される広告情報から、通信端末装置１０が、広告ＩＤを収集していき、電子書籍の購入時に、全ての広告ＩＤを通信端末装置１０から、電子書籍販売サーバ装置３０に送信するようにする。
【０１５７】
そして、例えば、販売Ｗｅｂページに到達する直近５ページ分の広告ＩＤと対応付けられている広告スコアにポイントを加算するようにすればよい。また、この場合、販売Ｗｅｂページに到達する直近のページに対する加算ポイントを大きくし、遠ざかるに従い、加算ポイントを小さくすることにより、経由回数に応じた広告スコアの加算を実現して、アフィリエイトの管理の幅を広くすることが可能となる。
【０１５８】
［４．７］変形例７
また、上記実施形態においては、電子書籍販売サーバ装置３０にて各ＤＢ３０１〜３０４を管理する構成としたが、各ＤＢ３０１〜３０４の管理主体は、各々異なるコンピュータシステムにて実現するようにしてもよい。
【０１５９】
また、電子書籍販売サーバ装置３０にブログＤＢ５０を設け、１つのコンピュータシステムにて電子書籍販売システム１を実現するようにしてもよい。
【０１６０】
［４．８］変形例８
上記実施形態においては、電子書籍販売サーバ装置３０にて、電子書籍を販売する場合を例に説明を行ったが、紙片に印刷された紙媒体の書籍についても同様の機能を実現することが可能である。
【０１６１】
この場合には、電子書籍ＤＢ３０２に紙媒体の書籍に関する各種の情報に対応するデータを記録させるとともに、紙媒体の書籍に対応するＰＤＦ（Ｐｏｒｔｂｌｅ  Ｄｏｃｕｍｅｎｔ  Ｆｏｒｍａｔ）データを電子書籍データの代わりに記録させておき、当該ＰＤＦデータから、指定部位情報に対応するペ−ジ、又は、文字列を抽出するようにすればよい。写真集等の画像を含むくむ書籍についても同様である。なお、この場合には、決済処理が完了した時点で、紙媒体の書籍が発送されることになる。
【０１６２】
［４．９］変形例９
上記実施形態においては、電子書籍販売サーバ装置３０にて、電子書籍を販売する場合を例に説明を行ったが、音楽コンテンツ、又は、映画、ドラマ等に対応する画像コンテンツを販売する場合についても同様の機能を実現することができる。
【０１６３】
この場合には、ユーザに音楽の所定フレーズ又は小節（例えば、サビ部分）を指定させ、または、所定のシーンを指定させるようにすればよい。
【０１６４】
なお、この場合においても、変形例８と同様に、音楽、又は映像を、ＣＤ（コンパクトディスク）、ＢＤ（ブルーレイディスク）等の物理的な媒体上に記録する構成を採用することができる。
【０１６５】
また、この場合には、電子書籍ＤＢ３０２の代わりに音楽データ、又は、映像データを管理するためのＤＢを電子書籍ＤＢ３０２に代えて、電子書籍販売サーバ装置３０に持たせるようにすればよい。
【符号の説明】
【０１６６】
１  …  電子書籍販売システム
１０  …  通信端末装置
３０  …  電子書籍販売サーバ装置
３０１  …  ユーザ管理ＤＢ
３０２  …  電子書籍ＤＢ
３０３  …  広告管理ＤＢ
３０４  …  評価情報管理ＤＢ
３１０  …  通信制御部
３２０  …  ＲＯＭ／ＲＡＭ
３３０  …  タイマ
３４０  …  サーバ管理制御部
３５０  …  データ処理部
３５１  …  ＤＢ管理制御部
３５２  …  電子書籍特定部
３５３  …  広告情報生成部
３５４  …  広告有用性算出部
３５５  …  販売処理部
４０  …  ブログ管理サーバ装置
５０  …  ブログＤＢ
【図１】
2015197770.tif 000003
【図２】
2015197770.tif 000004
【図３】
2015197770.tif 000005
【図４】
2015197770.tif 000006
【図５】
2015197770.tif 000007
【図６】
2015197770.tif 000008
【図７】
2015197770.tif 000009
【図８】
2015197770.tif 000010
【図９】
2015197770.tif 000011
【図１０】
2015197770.tif 000012
【図１１】
2015197770.tif 000013
【図１２】
2015197770.tif 000014